(57)【特許請求の範囲】
【請求項１】
原稿を載置する原稿台と、前記原稿に光を照射するための複数の光源と、該複数の光源から出射された光を前記原稿の読取対象領域に導く照明光学系と、を備える原稿照明装置であって、
前記複数の光源は、発光ダイオードであり、
前記照明光学系は、前記光源から出射された光の発散を規制して反射部材に光を導く導光部材と、前記読取対象領域に複数の方向から光を反射する反射部材と、を有し、
該反射部材は、配設角度がいずれも異なる複数の反射部反射面を有し、
該複数の反射部反射面は、前記読取対象領域からの反射光が通過するための開口部を形成するように配設され、
前記導光部材は、配設角度がいずれも異なる複数の導光部反射面を有し、
該複数の導光部反射面のうち、前記光源よりも原稿台側で前記光源から最も遠い面は、前記原稿台と略平行で、且つ、前記開口部よりも光源側に配設され、
前記複数の反射部反射面のうち、前記光源に対して前記開口部より遠い側に配設された面の原稿台側端部は、前記複数の導光部反射面のうち、前記光源よりも原稿台側で前記光源から最も遠い面よりも原稿台側であることを特徴とする原稿照明装置。
【請求項２】
請求項１に記載の原稿照明装置において、
前記導光部反射面のうち、前記光源から最も遠い面は、前記複数の反射部反射面のうち、前記開口部よりも光源側に配設された面の光源側端部と、前記読取対象領域とを結んだ線よりも光源側に配設されていることを特徴とする原稿照明装置。
【請求項３】
請求項１または２に記載の原稿照明装置において、
前記複数の導光部反射面は、一組の向かい合う導光部反射面を含み、
該一組の向かい合う導光部反射面は、前記光源から光が入射する側の反射面間距離に対して、前記光源から入射した光が出射する側の反射面間距離の方が大きいことを特徴とする原稿照明装置。
【請求項４】
請求項１乃至３のいずれか１項に記載の原稿照明装置において、
前記導光部材の複数面のうち、前記光源から最も遠い面は、前記複数の反射部反射面のうち、前記開口部よりも光源側に配設された面と対向する位置に配設されていることを特徴とする原稿照明装置。
【請求項５】
請求項１乃至４のいずれか１項に記載の原稿照明装置を用いたことを特徴とする画像読取装置。
【請求項６】
請求項５に記載の画像読取装置を用いたことを特徴とする画像形成装置。
【発明の詳細な説明】
【技術分野】
【０００１】
本発明は、原稿照明装置、および画像読取装置に関し、特に、デジタル複写機やイメージスキャナに使用される画像読取装置に関する。
【背景技術】
【０００２】
近年、発光ダイオード（Ｌｉｇｈｔ  Ｅｍｉｔｔｉｎｇ  Ｄｉｏｄｅ：以下、ＬＥＤと称する）の開発が活発に行われており、ＬＥＤ素子の明るさは急激に高まっている。ＬＥＤは、一般的に長寿命、高効率、高耐Ｇ性、単色発光などの利点を有しており、多くの照明分野への応用が期待されている。
その用途の一つとして、デジタル複写機やイメージスキャナのような画像読取装置の原稿照明装置にＬＥＤは用いられている。
【０００３】
画像読取装置に用いられるＬＥＤの使用方法としては、様々な方式が提案されている。例えば、特許文献１，２，４では、原稿の主走査方向と平行にＬＥＤを多数並べ、ＬＥＤの出射光を、主走査方向においては光学的な作用を与えないことで発散させ、副走査方向においては反射面の集光作用によって、原稿面上の読取対象領域における照度を高めている。
さらに、特許文献３では、原稿の主走査方向と平行にＬＥＤを多数並べ、ＬＥＤの出射光を、主走査方向においては光学的な作用を与えないことで拡散させ、副走査方向においてはレンズの集光作用によって、原稿面上の読取対象領域における照度を高めている。
【０００４】
次に、原稿面上でどのような照度あるいは照度分布が求められているかを説明する。
図６は従来の画像読取装置の構成概略図である。図６に示すように、デジタル複写機やイメージスキャナに使用される画像読取装置は、原稿に記載されている情報を読取レンズ１３を介してＣＣＤ１４等の撮像素子に入力する装置である。
【０００５】
図７は、図６の原稿面１５を上から眺めた上面図である。画像読取装置は、光学系を固定した状態では図７に示す細長い読取対象領域１０の情報だけをＣＣＤ１４に入力可能な状態である。そこで、図６の装置全体を動かす、あるいは照明光学系と折り返しミラー１６を連動して動かすことで、図７の矢印の方向に読取対象領域１０を移動させる。読取対象領域１０を移動させながらＣＣＤ１４に順次情報を入力することで、原稿全体を読み取ることが可能である。
【０００６】
この時、図７の読取対象領域１０を高速で移動させるには（原稿１枚あたりの読取時間を短くするには）、単位時間あたりにＣＣＤ１４に入力する光量を増やすことが求められるため、原稿面上での照度は高い方が望ましい。この観点から特許文献１〜４のように副走査方向に光を規制する方法は妥当である。
【０００７】
また、照度分布は一般的には一様な照度分布が望まれる。図８は、図７に示す長さ方向（主走査方向）において、原稿面１５とＣＣＤ１４の共役な関係を示す図であり、なおかつ実線と点線とで原稿面１５の照度分布の一例を示している。
図の実線はある時点（定常状態）での原稿面１５上の照度分布であり、点線はある瞬間に外部からの振動の影響などによって変動したときの原稿面１５上の照度分布である。図の実線あるいは点線で示すように、原稿面１５上の照度分布にムラがあると、原稿面１５上で照度が高い位置は、撮像面上の対応する位置においても照度が高く、逆に原稿面上で照度が低い位置は、撮像面上の対応する位置においても照度が低い。図７の矢印の方向に読取対象領域１０を移動させて原稿全体を読み取る期間中、常に原稿と照明の関係が同じであればこのようなムラのある照度分布は画像処理によって補正可能である。しかし、この期間中に原稿と照明の関係が、実線の状態から瞬間的に点線の状態に移ることがあると、読み取った画像に濃度ムラが発生し、画像の品質が低下する。
【０００８】
したがって、一般には図９に示すように、読取対象領域１０全体が一様な照度分布であることが望ましい。一様な照度分布であれば、例えば外部から振動を受けて原稿と照明の位置関係がずれても、撮像面上の照度分布に変化が無い。
【０００９】
このことは特に、図７に示す幅方向（副走査方向）について求められる。例えば、特許文献５の第１図、第３図、第５図にあるように、光源からの光を副走査方向に集光させると、図１０の実線に示すように原稿面１５上で急峻な照度分布になってしまう。このような分布は、外部からの振動などで原稿と照明の関係が実線の状態から瞬間的に点線の状態に移行した場合、ＣＣＤへの入力光量が図１０に矢印で示すように、大きく異なってしまう。
【００１０】
したがって、図１１に示すように副走査方向においても、ある程度の幅（たとえば３ｍｍ程度）を有する一様な照度分布が望まれる。このためには、特許文献５に記載の楕円鏡は最も好ましくなく、曲面であれば放物線状の形状が望ましいし、平面によってこれを近似しても何ら問題はない。
【００１１】
そもそも、本発明で対象としているＬＥＤ光源や有機ＥＬ光源といった複数の点光源あるいは複数の小型面光源は、特許文献５のような光源管灯とは異なり、原稿面と光源を近づけると主走査方向に照度むらが出やすい。したがって、光源と原稿面はある程度の距離を取る必要がある。
【００１２】
ここでさらに考慮しなくてはいけないのは、読み取る画像に照明が行き届かず、影ができてしまうことである。例えば、本等を開いてコンタクトガラス１２（原稿台）の上に載せると、本等の構造上必然的に頁間部分が浮いてしまうため、この浮いた頁間部分はコンタクトガラスに対して角度を持ってしまう。この角度を持って浮いた部分は、一方向からの照明では全体を照明することができず、影ができてしまうため、原稿読取時に黒い影が読み取られてしまう問題があった。
【００１３】
従来、冷陰極管を使った光源では、特許文献６のように、対向反射板を置くことで、原稿照明装置の移動方向に垂直で読取対象領域を含む平面に対して２方向からの照明を実現していた。
【００１４】
しかし、特許文献１〜４いずれの場合についてもこの問題について考慮されていない。また、特許文献６の構成の場合、画像読取装置をさらに省エネルギーにするためにＬＥＤ数を減らすと、特許文献６の図１の光源６から原稿面までの距離を取らないと、主走査方向の照度分布一様性が悪く、原稿面から第１ミラー方向における照明光学系全体が大型化しがちであった。
【００１５】
そこで、図１２、図１３、及び図１４に示す画像読取装置では、この点を考慮した構成となっている。
光源と原稿面の距離を取りつつ原稿照明装置を小型化するためには、以下の（Ｉ）〜（II）に記載の特徴を備えることが望ましい。ここで、図１２、図１３、及び図１４は、それぞれＬＥＤを用いた画像読取装置の構成概略図を示す。
（Ｉ）図１２、図１３、及び図１４に示すように、ＬＥＤ９（光源）の光出射方向にのみ集束部材１７，１８を設置する。（ＬＥＤ光源や有機ＥＬ光源は光源管灯のように３６０度あらゆる方向に光を出射せず、光源の正面方向にのみ光を出射するので、ＬＥＤ９の背部には反射面が不要）。背部に反射面が不要なので特許文献５の第１図に比べて幅方向が小型になる。
（II）図１４のように、ＬＥＤ９の光出射方向をコンタクトガラス１２と平行にし、原稿照明装置の移動方向に距離を取ることで主走査方向の照度むらを取り除き、高さ方向を薄型化する。
【００１６】
しかし、各反射板の支持構造によっては副走査方向の照度分布一様性が崩れるという問題がある。
例えば、図１２において、反射板１９・反射板２０の支持構造を簡易にすると、ある瞬間に外部からの振動の影響などによって読取対象領域１０と反射板１９・反射板２０との位置関係が変動しやすくなり、副走査方向の照度分布が図１３のようになる問題が起こる（図１３は、図１２に比べて反射板１９・反射板２０がそれぞれ読取対象領域に近づいた例である）。
【００１７】
この問題を改善するために、反射板１９・反射板２０の支持構造を強固なものにしようとすると、原稿照明装置の大型化、あるいは重量が重くなるなどのデメリットが想定される。
【００１８】
【特許文献１】特開２００６−６７５５１号公報
【特許文献２】特開２００６−４２０１６号公報
【特許文献３】特開２００５−３１１６６２号公報
【特許文献４】特開２００５−２４１６８１号公報
【特許文献５】特開平２−２２６７９号公報
【特許文献６】特開２００４−３６１４２５号公報
【発明の開示】
【発明が解決しようとする課題】
【００１９】
本発明は上記問題点に鑑みてなされたものであり、光源管灯に比べて大幅に省エネルギーな光源を用い、照明ユニットの小型化を達成することでさらなる省エネルギー化を達成した原稿照明装置、画像読取装置、および画像形成装置を提供することを目的としている。
【課題を解決するための手段】
【００２０】
上記課題を解決するために本発明に係る原稿照明装置、画像読取装置、および画像形成装置は、具体的には下記（１）〜（６）に記載の技術的特徴を有する。
（１）：原稿を載置する原稿台と、前記原稿に光を照射するための複数の光源と、該複数の光源から出射された光を前記原稿の読取対象領域に導く照明光学系と、を備える原稿照明装置であって、前記複数の光源は、発光ダイオードであり、前記照明光学系は、前記光源から出射された光の発散を規制して反射部材に光を導く導光部材と、前記読取対象領域に複数の方向から光を反射する反射部材と、を有し、該反射部材は、配設角度がいずれも異なる複数の反射部反射面を有し、該複数の反射部反射面は、前記読取対象領域からの反射光が通過するための開口部を形成するように配設され、前記導光部材は、配設角度がいずれも異なる複数の導光部反射面を有し、該複数の導光部反射面のうち、前記光源よりも原稿台側で前記光源から最も遠い面は、前記原稿台と略平行で、且つ、前記開口部よりも光源側に配設され、前記複数の反射部反射面のうち、前記光源に対して前記開口部より遠い側に配設された面の原稿台側端部は、前記複数の導光部反射面のうち、前記光源よりも原稿台側で前記光源から最も遠い面よりも原稿台側であることを特徴とする原稿照明装置である。
【００２１】
（２）：上記（１）に記載の原稿照明装置において、前記導光部反射面のうち、前記光源から最も遠い面は、前記複数の反射部反射面のうち、前記開口部よりも光源側に配設された面の光源側端部と、前記読取対象領域とを結んだ線よりも光源側に配設されていることを特徴とする原稿照明装置である。
【００２２】
（３）：上記（１）または（２）に記載の原稿照明装置において、前記複数の導光部反射面は、一組の向かい合う導光部反射面を含み、該一組の向かい合う導光部反射面は、前記光源から光が入射する側の反射面間距離に対して、前記光源から入射した光が出射する側の反射面間距離の方が大きいことを特徴とする原稿照明装置である。
【００２３】
（４）：上記（１）乃至（３）のいずれか１項に記載の原稿照明装置において、前記導光部材の複数面のうち、前記光源から最も遠い面は、前記複数の反射部反射面のうち、前記開口部よりも光源側に配設された面と対向する位置に配設されていることを特徴とする原稿照明装置である。
【００２４】
（５）：上記（１）乃至（４）のいずれか１項に記載の原稿照明装置を用いたことを特徴とする画像読取装置である。
【００２５】
（６）：上記（５）に記載の画像読取装置を用いたことを特徴とする画像形成装置。
【発明の効果】
【００２６】
本発明によれば、配設角度が異なる複数面からなる導光部材により、小型で高効率な原稿照明装置、画像読取装置、および画像形成装置を提供することが可能となる。
【発明を実施するための最良の形態】
【００２７】
本発明の原稿照明装置、画像読取装置、および画像形成装置の基本的な構成に関して以下に説明する。
〔第１の実施の形態；原稿照明装置〕
本発明の原稿照明装置は、原稿を載置する原稿台（コンタクトガラス）１２と、前記原稿に光を照射するための複数の光源（ＬＥＤ）９と、該複数の光源９から出射された光を前記原稿の読取対象領域１０に導く照明光学系と、を備える原稿照明装置であって、前記複数の光源は、発光ダイオード９であり、前記照明光学系は、前記光源９から出射された光の発散を規制して反射部材に光を導く導光部材と、前記読取対象領域１０に複数の方向から光を反射する反射部材と、を有し、該反射部材は、配設角度がいずれも異なる複数の反射部反射面を有し、該複数の反射部反射面は、前記読取対象領域１０からの反射光が通過するための開口部８を形成するように配設され、前記導光部材は、配設角度がいずれも異なる複数の導光部反射面を有し、該複数の導光部反射面のうち、前記光源から最も遠い面３は、前記光源よりも原稿台側で、且つ、前記開口部よりも光源側に配設され、前記複数の反射部反射面のうち、前記光源に対して前記開口部より遠い側に配設された面５の原稿台側端部は、前記複数の導光部反射面のうち、前記光源から最も遠い面３よりも原稿台側であることを特徴とする。
【００２８】
本発明の原稿照明装置は、公知の画像読取装置または画像形成装置に搭載することが可能であり、読取対象領域１０の幅方向に駆動されて原稿全体を照明することで原稿全体の画像を読み取ることが可能となる。
【００２９】
（光源）
本発明において光源９は、発光ダイオード（ＬＥＤ）であれば特に制限はなく、公知のものを用いることができるが、本実施の形態では白色ＬＥＤ光源を用いている。また、ＬＥＤ９は原稿の長さ方向に列設されていることが好ましい。長さ方向に列設されることで、読取対象領域１０の長さ方向に光を照射することができる。
【００３０】
（導光部材、反射部材）
本発明の集束部材および反射部材は、それぞれ複数の反射面を有し、反射面は例えばプラスチック、ガラスなどの成型品の表面に反射面を形成してなる。本発明において、表面に反射面を形成する成型品の材料としては上記のものに限定されず、その他の公知の材料を適用可能である。
また、本発明において、集束部材及び／または反射部材は、光源から出射された光が、原稿の長さ方向に拡散するのを規制する為に、原稿台に垂直で原稿の長さ方向に垂直な側面反射面を具備することが好ましく、読取対象領域の長さ方向における両端部に具備することがさらに好ましい。
【００３１】
（反射面）
本発明において反射面とは、反射率が高く、光源から出射された光を読取対象領域に導く機能を有する領域である。
反射面は、アルミ蒸着や塗装などで形成すると加工工程が少なく効率の高い生産が可能になる。また、上記成型品の集束部構成部材や反射部構成部材に反射テープを貼ることで反射面としても良く、簡易な方法で反射面の形成が可能となる。反射テープは、薄い接着テープの片面に蒸着などで高反射率特性を与えたものが好ましい。
【００３２】
また、本発明において反射面とは、構造上区分される１の平面または曲面で構成される面であって、他の反射面と分離可能な構成のもの（別体として構成されているもの）を言う。
【００３３】
（開口部）
本発明の原稿照明装置は、照明光学系に開口部８を有する。開口部８とは、読取対象領域１０からの反射光が通過する経路であって、反射部材を構成する反射部反射面４，５がこの開口部８を形成するように配設される。
開口部８は、反射部材に開いた読取対象領域と同程度の面積を有する開口であるが、光透過率が高く原稿照明装置等に適用される公知の透明の材料を用いて形成された部材であっても良い。
【００３４】
（原稿台（コンタクトガラス））
また、本発明の原稿照明装置には、原稿をその面上に載置するためのコンタクトガラス１２を備える。コンタクトガラス１２は板状の形状であり、ガラス、あるいは透明樹脂等で形成することが好ましい。
【００３５】
次に、本発明の原稿照明装置の実施の形態について、図面を用いて詳細に説明する。
なお、以下に述べる実施の形態は本発明の好適な実施の形態であるから、技術的に好ましい種種の限定が付されているが、本発明の範囲は以下の説明において特に本発明を限定する旨の記載がない限りこれらの態様に限られるものではない。
【００３６】
図１は、本発明に係る原稿照明装置の第１の実施の形態における構成を示す側面概略図である。
また図２は、本発明に係る原稿照明装置の第１の実施の形態における構成を示す上面概略図である。図２においては、原稿照明装置を上面から眺めた場合の構成が明りょうとなるように、コンタクトガラス１２および導光部反射面１，３の図示を省略した。
本発明に係る原稿照明装置は、図７に示すような長さと幅を有する原稿の一部である読取対象領域を照射する。
【００３７】
尚、本実施の形態では白色ＬＥＤを用いたが、これに換えて２色以上のＬＥＤからの出射光を混色して照射する構成としても当然問題は無い。
また、本実施の形態における原稿照明装置は、実際には側面の両端部にも反射面を具備するが、図１においては理解し易さの為にこれを非表示とした。
【００３８】
ＬＥＤ９は原稿の長さ方向に配列され、基板１１上に固定される。ＬＥＤ９が固定された基板１１は、照明装置において他の照明光学系との配置関係に変動が生じないように固定設置される。また、基板１１には従来の原稿照明装置で用いられてきた材料を用いることができるが、耐久性、耐食性、耐酸化性などを有する材料が好ましい。
【００３９】
ＬＥＤ９から出射された光は、導光部反射面１，２，３により原稿照明装置の高さ方向（図１における垂直方向）への発散が規制され、また側面反射面により原稿の長さ方向への発散が規制され、反射部反射面４，５からなる反射部材へと光を集光して導く。
【００４０】
反射部材に導かれた光は、反射部反射面４と、反射部反射面５とによって反射され、読取対象領域１０に到達する。このとき、反射部反射面４によって反射された光と、反射部反射面５によって反射された光とでは、互いに光の進行方向が異なり、読取対象領域１０を含みコンタクトガラス１２に対して垂直な面に対して、互いが反対方向となるように反射光が進行する構成となっている。かかる構成により、本や雑誌のようにページ間が浮いてしまい、コンタクトガラス１２に接しない部分がある読取対象物であっても、複数の角度から照射することによって画像の読み取りが可能となる。
【００４１】
導光部反射面１，２は、ＬＥＤ９光が入射する側の反射面間距離に対して、光が出射する側の反射面間距離が大きくなるように設定されている。導光部反射面１，２は平面だが、ＬＥＤ光源を焦点においた放物線を近似した平面であることが望ましい。導光部反射面１，２の開き角をこのように設定することで、ＬＥＤ光源からの出射光は略平行光となって反射部材へ導光される。
【００４２】
導光部反射面３は、ＬＥＤ９よりもコンタクトガラス１２に近接した位置に配置されている。この構成によって、導光部反射面３のＬＥＤ９より遠い側の端部と、反射部反射面５のコンタクトガラス側端部との間を通過し、コンタクトガラス側へ抜けるＬＥＤ９からの直接光を減らすことができ、原稿台の不必要な部分を照射する光を減らすことができる。
【００４３】
また、導光部反射面３は、反射部反射面４の光源側端部と、読取対象領域１０とを結んだ線よりも、ＬＥＤ９側に配置されている。この構成によって、反射部反射面４から読取対象領域１０に向けて反射される光を遮ることがなく、ＬＥＤ９からの光の発散を規制して反射部材へ導光することができる。
【００４４】
さらに、導光部反射面３は、コンタクトガラス１２と略平行に配置されている。この構成によって、照明ユニットの高さ方向のサイズを大きくしなくて済み、導光部反射面３のＬＥＤ９より遠い側の端部と、反射部反射面５のコンタクトガラス側端部との間を通過し、コンタクトガラス側へ抜けるＬＥＤ９からの直接光を減らすことができ、原稿台の不必要な部分を照射する光を減らすことができる。
【００４５】
反射部反射面４，５は、開口部８を形成するように、開口部８よりもＬＥＤ９側に反射部反射面４が、開口部８に対してＬＥＤ９と反対側に反射部反射面５が、それぞれ配置されている。また、本実施の形態では曲面からなる反射面を有し、集光して反射することで読取対象領域１０を照射する。
この開口部８は、読取対象領域１０に対して、コンタクトガラス１２の垂直方向下に形成されている。また、導光部反射面３は、開口部８よりもＬＥＤ９側に配置されている。
【００４６】
反射部反射面４は、導光部反射面３と対向する位置に配置されている。この構成によって、ＬＥＤ９からの光で、導光部反射面２で反射した光を反射部反射面４に捉えることができ、反射部反射面４で反射した光が読取対象領域を照射できる。
【００４７】
反射部反射面５の原稿台側端部は、導光部反射面３よりもコンタクトガラス１２に近接した位置に配置されている。この構成によって、反射部反射面５がＬＥＤ９からの直接光をより多く捉えることができるので、反射部反射面４を経由して読取対象領域を照射する光の量に近づけることができる。（反射部反射面４を経由して読取対象領域を照射する光の方が、光路が短い分、光量が大きくなる。反射部反射面５を経由して読取対象領域を照射する光の方が、光路が長い分、光量が小さくなるが、上記構成によって、両方の差を小さくできる。）
【００４８】
〔第２の実施の形態（画像読取装置）〕
第２の実施の形態は、第１の実施の形態の照明装置を用いた画像読取装置である。
図３は本発明に係る画像読取装置の第２の実施の形態の構成を示す側面概略図である。
【００４９】
本実施の形態の構成は、第１の実施の形態に記載の照明装置と、４枚の折り返しミラー１６、読取レンズ１３を備える結像光学系と、ＣＣＤ１４であるセンサと、からなり、これらの部品それぞれの位置関係は変動しないように圧入・ネジ止め・接着などの方法によって固定されており、画像読取装置全体が移動して原稿を読み取る構成となっている。
【００５０】
上述した第１の実施の形態で示したように、照明装置の反射部材には開口部８が形成されている。原稿面１５からの光は、この開口部８を通過し、４枚の折り返しミラー１６を経由した後、読取レンズ１３によってＣＣＤ１４に結像される。
【００５１】
このように、原稿面１５からの光を結像に必要な範囲を遮光しないような開口部８が形成されていることで、結像に何ら悪影響を及ぼすことはない。
【００５２】
（結像光学系）
結像光学系は、照明装置の開口部８を通過した光をセンサ１４に結像させるために、複数の折り返しミラー１６と、読取レンズ１３とを有する。
折り返しミラー１６及び読取レンズ１３には公知のものを用いることができる。折り返しミラー１６には、例えば鏡や鏡面を有する部材を、読取レンズ１３にはガラスで形成されたレンズを用いることができる。
【００５３】
（センサ）
本発明においてセンサ１４は、結像光学系の結像部に設けられ、ＣＣＤなどの原稿の画像を読み取る機能を有するものが用いられる。
【００５４】
〔第３の実施の形態（画像読取装置）〕
第２の実施の形態は、第１の実施の形態の照明装置を用いた画像読取装置の他の実施の形態である。
図４は本発明に係る画像読取装置の第３の実施の形態の構成を示す側面概略図である。
本実施の形態の構成は、第１の実施の形態に記載の照明装置と、３枚の折り返しミラー１６ａ，１６ｂ，１６ｃ、読取レンズ１３を備える結像光学系と、ＣＣＤ１４であるセンサと、からなり、照明装置と折り返しミラー１６ａを速度Ｖで移動し、これに対応して折り返しミラー１６ｂ，１６ｃを速度Ｖ／２で移動させることで原稿を読み取る構成となっている。
【００５５】
この構成によれば、原稿からＣＣＤ１４までの光路長が照明装置等の移動により変動することがないため、原稿の読み取りが可能となる。
【００５６】
〔第４の実施の形態（画像形成装置）〕
図５は本発明に係る画像読取装置を備える画像形成装置の模式図である。
同図において符号１００は画像形成装置、２００は画像読取装置をそれぞれ示す。その他の符号は説明中で直接引用する。
【００５７】
画像読取装置２００は、原稿２０２がコンタクトガラス１２の上に配置され、コンタクトガラス１２の下部に配置された第１走行体２０３に搭載された、図示しない照明部により原稿２０２が照明される。この照明部には上述した照明装置の第１の実施の形態（コンタクトガラスを除く）を用いる。原稿２０２からの反射光は、第１走行体２０３の第１ミラー２０３ａにより反射され、その後、第２走行体２０４の第１ミラー２０４ａと第２ミラー２０４ｂで反射され、縮小結像レンズ２０５へ導かれ、ラインセンサー２０６上に結像される。また、カラー画像読取装置の場合は、ラインセンサー２０６をＲＧＢ各色ごとに設けることで同様の構成のまま本発明を適用することができる。
【００５８】
原稿の長手方向を読み取る場合は、第１走行体２０３がＶの速度で図の右方向へ移動し、それと同時に第２走行体２０４が第１走行体２０３の半分の速度１／２Ｖで右方向へ移動することで、原稿２０２からラインセンサー２０６までの光路長が一定に保たれ、原稿全体を一定の倍率で読み取ることができる。
通常、画像読取装置に用いられる原稿照明装置としてのＬＥＤの使用方法としては、ＬＥＤ素子を多数個並べ、アレイ状にして用いる。
【００５９】
画像形成装置１００は、ドラム状の潜像担持体１１１を有し、その周囲に帯電手段としての帯電ローラ１１２、現像装置１１３、転写ローラ１１４、クリーニング装置１１５が配備されている。帯電手段としては「コロナチャージャ」を用いることもできる。更に、画像読み取り部等、外部からの原稿情報を受けてレーザビームＬＢにより光走査を行う光走査装置１１７が設けられ、帯電ローラ１１２と現像装置１１３との間で「光書込による露光」を行うようになっている。
【００６０】
画像形成を行うときは、光導電性の感光体である潜像担持体１１１が時計回りに等速回転され、その表面が帯電ローラ１１２により均一帯電され、光走査装置１１７のレーザビームＬＢの光書込による露光を受けて静電潜像が形成される。形成された静電潜像には画像部が露光された所謂ネガ潜像と、非画像部が露光された所謂ポジ潜像とがある。上記何れの静電潜像も現像装置１１３において静電潜像現像用トナーを用いて可視化される。このとき、現像装置１１３をＹＭＣＫ４色に対して各々、計４個設けることでカラー画像形成が可能な画像形成装置となる。
【００６１】
転写紙Ｐを収納したカセット１１８は、画像形成装置１００本体に脱着可能であり、図のごとく装着された状態において、収納された転写紙Ｐの最上位の１枚が給紙コロ１２０により給紙され、給紙された転写紙Ｐは、その先端部をレジストローラ対１１９に捕らえられる。レジストローラ対１１９は、潜像担持体１１１上のトナー画像が転写位置へ移動するのにタイミングを合わせて、転写紙Ｐを転写部へ送り込む。送りこまれた転写紙Ｐは、転写部においてトナー画像と重ね合わせられ転写ローラ１１４の作用によりトナー画像を静電転写される。トナー画像を転写された転写紙Ｐは定着装置１１６へ送られ、定着装置１１６においてトナー画像を定着され、搬送路１２１を通り、排紙ローラ対１２２によりトレイ１２３上に排出される。トナー画像が転写された後の潜像担持体１１１の表面は、クリーニング装置１１５によりクリーニングされ、残留トナーや紙粉等が除去される。
【００６２】
上記第１〜第４の実施の形態の原稿照明装置、画像読取装置および画像形成装置によれば、小型で高効率な照明が可能となる。
【図面の簡単な説明】
【００６３】
【図１】本発明に係る原稿照明装置の第１の実施の形態の構成を示す側面概略図である。
【図２】本発明に係る原稿照明装置の第１の実施の形態の構成を示す上面概略図である。
【図３】本発明に係る画像読取装置の第２の実施の形態の構成を示す側面概略図である。
【図４】本発明に係る画像読取装置の第３の実施の形態の構成を示す側面概略図である。
【図５】本発明に係る画像読取装置を備える画像形成装置の模式図である。（第４の実施の形態）
【図６】従来の画像読取装置の構成概略図である。
【図７】図６の原稿面１５を上から眺めた上面図である。
【図８】図７に示す長さ方向において、原稿面とＣＣＤの共役な関係を示し、なおかつ実線と点線とで原稿面の照度分布の一例を示す図である。
【図９】図７に示す長さ方向において、原稿面とＣＣＤの共役な関係を示し、なおかつ実線と点線とで原稿面の照度分布のその他の例を示す図である。
【図１０】図７に示す長さ方向において、原稿面とＣＣＤの共役な関係を示し、なおかつ実線と点線とで原稿面の照度分布のさらに他の例を示す図である。
【図１１】図７に示す長さ方向において、原稿面とＣＣＤの共役な関係を示し、なおかつ実線と点線とで原稿面の照度分布のまたさらに他の例を示す図である。
【図１２】従来のＬＥＤを用いた画像読取装置の構成概略図の一例である。
【図１３】図１２の画像読取装置における反射板の位置関係が変動した場合の構成を示す概略図である。
【図１４】画像読取装置における光強度が最も強い光の経路を説明する説明図である。
【符号の説明】
【００６４】
１  反射面（導光部）
２  反射面（導光部）
３  反射面（導光部；光源から最も遠い面）
４  反射面（反射部；開口部よりも光源側に配設された面）
５  反射面（反射部；光源に対して開口部より遠い側に配設された面）
６  反射面（側面）
７  反射面（側面）
８  開口部
９  ＬＥＤ
１０  読取対象領域
１１  基板
１２  コンタクトガラス
１３  読取レンズ
１４  ＣＣＤ
１５  原稿面
１６  折り返しミラー
１６−ａ  折り返しミラー
１６−ｂ  折り返しミラー
１６−ｃ  折り返しミラー
１７  集束部材
１８  集束部材
１９  反射板
２０  反射板
１００  画像形成装置
１１１  潜像担持体
１１２  帯電ローラ
１１３  現像装置
１１４  転写ローラ
１１５  クリーニング装置
１１６  定着装置
１１７  光走査装置
１１８  カセット
１１９  レジストローラ対
１２０  給紙コロ
１２１  搬送路
１２２  排紙ローラ対
１２３  トレイ
２００  画像読取装置
２０２  原稿
２０３  第１走行体
２０４  第２走行体
２０４ａ  第１ミラー
２０４ｂ  第２ミラー
２０５  縮小結像レンズ
２０６  ラインセンサー
【図１】
0005163177.tif 000002
【図２】
0005163177.tif 000003
【図３】
0005163177.tif 000004
【図４】
0005163177.tif 000005
【図５】
0005163177.tif 000006
【図６】
0005163177.tif 000007
【図７】
0005163177.tif 000008
【図８】
0005163177.tif 000009
【図９】
0005163177.tif 000010
【図１０】
0005163177.tif 000011
【図１１】
0005163177.tif 000012
【図１２】
0005163177.tif 000013
【図１３】
0005163177.tif 000014
【図１４】
0005163177.tif 000015